(57)【要約】【課題】  様々な食器に盛られた料理を配達する際に、簡単かつ確実に料理を冷め難くする。【解決手段】  柔軟な耐熱シート層１０と、耐熱シート層１０に積層された柔軟な保温シート層１１の少なくとも二層を有し、宅配用の食器３を載せた盆２を食器３ごと包む保温シート１であって、略矩形状の盆載置領域１ａと、盆載置領域１ａの平行な二対の縁辺のうち、一方の一対の縁辺からそれぞれ外方向に延びる巻き掛けフラップ部１ｂと、他の一方の一対の縁辺からそれぞれ外方向に延びる係止フラップ部１ｃとを有し、少なくとも係止フラップ部１ｃに、盆を包んだときに重なり合う縁辺が離れないようにする係止手段１２が設けられ、耐熱シート層１０が上面になるよう展開され、その耐熱シート層１０上に載せられた盆２を包むことに用いられる上記の保温シート１により、食器３が載せられた盆２を包む。【選択図】  図４
2006160329.tif 000002
【特許請求の範囲】
【請求項１】
柔軟な耐熱シート層と、耐熱シート層に積層された柔軟な保温シート層の少なくとも二層を有し、宅配用の食器を載せた盆を食器ごと包む保温シートであって、
略矩形状の盆載置領域と、盆載置領域の平行な二対の縁辺のうち、一方の一対の縁辺からそれぞれ外方向に延びる巻き掛けフラップ部と、他の一方の一対の縁辺からそれぞれ外方向に延びる係止フラップ部とを有し、
少なくとも係止フラップ部に、盆を包んだときに重なり合う縁辺が離れないようにする係止手段が設けられ、
耐熱シート層が上面になるよう展開され、その耐熱シート層上に載せられた盆を包むことに用いられる上記の保温シート。
【発明の詳細な説明】
【技術分野】
【０００１】
本発明は、様々な食器に盛られた料理を配達する際に、料理が冷めないようにするために用いられる保温シートに関する。
【背景技術】
【０００２】
現在、蕎麦やラーメンを始めとし、ピザ、弁当、洋食など、様々な種類の料理が、オートバイなどで宅配されるようになっている。
これらの料理には、熱い、又は、温かいものが圧倒的に多く、料理完成から配達完了までの間に、できるだけ料理が冷めないようにしなければならない。
このため、最近では、オートバイの後部に、保温ボックスを取り付けておき、その中に配達すべき料理を収納して保温、配達するケースが増えており、その保温技術も向上している。
【０００３】
このような保温ボックスにいれて保温できるのは、ピザのように、扁平なの箱に収納してあったり、弁当箱のような定型箱に収納してあったりする場合が多く、出し入れや平積みが容易にできるものがほとんどである。
このため、最近の宅配用の料理は、定型の箱や容器に入っているものが圧倒的に多く、定型の箱等を用いることを前提に、各宅配業者に対して保温手段が提供、提案されている。
【０００４】
しかしながら、蕎麦屋や中華食堂のような飲食店による出前サービスの場合、注文に応じて食器の大きさ、形状、数等が多様である。また、このような食器は、樹脂フィルムで密封されることが多い。
このような食器を宅配する場合、これらの食器を一皿ずつ扱うと、手間と時間がかかるため、所謂そば盆にまとめて載せられた上で運ばれる。
そば盆は、その大きさによる規格があり、その規格として、三つ膳、四つ膳、五つ膳（ごんべい）、六つ膳（ろんじ）、せいなん及び八つ膳（ばかだい）の６種がある。
これらのそば盆は、注文の料理及び品数によって使い分けるようになっているが、保温ボックスを最大サイズのそば盆を収納できる大きさにすると、保温ボックスを巨大にせざるをせず、無駄が多い。
【０００５】
また、料理が盛られた食器が多数載った重たいそば盆を、料理がこぼれないように保温ボックスに出し入れする作業も非常に難しく、できたとしても時間がかかってしまう。
ここで時間がかかってしまうと、料理が急激に冷めてしまうので、保温ボックスは実用的ではない。
また、食器に盛られた料理は、完成した直後に、速やかに保温する必要があるが、保温ボックスを利用すると、全ての料理が揃うまで、そば盆上に放置せざるを得ず、効果的な保温ができないという問題があった。
このため、現在、このような出前の場合は、なんらの保温手段も講じられることなく、冷めないうちにできるだけ早く配達するしかなかった。
【０００６】
例えば、料理が盛られた様々な食器をオートバイで宅配する場合、食器が載せられたそば盆は、オートバイの後部に取り付けられた出前機にセットされる。
この出前機は、出前機の荷台に載せたそば盆を、上方からバネの力を用いて、荷台シートで押さえつけるものである。
この出前機を用いれば、そば盆の規格に関わらず、迅速かつ確実にそば盆ごと食器を挟んで固定できる。
【０００７】
しかしながら、食器を剥き出しの状態で直接出前機にセットするため、オートバイの走行中に食器に直接外気が当たり、料理の完成から配達までの時間を短縮しても、あっという間に料理が冷めてしまうという問題があった。
この問題を解決するためには、保温性のある巾着状の袋を、食器が載ったそば盆に被せ、出前機にセットするという方法が考えられるが、その袋を外すときに、袋の縁が食器に引っかかって、食器をひっくり返してしまう恐れがあり、使い勝手が悪いという問題がある。
【０００８】
また、大きなそば盆が収容可能な袋で、小さなそば盆を保温しようとすると、袋がだぶついてしまい、持ち運びなどの際に袋がずれたり、引っかかったりして、食器がひっくり返ったり、そば盆ごとズレ落ちることもあるという問題もある。
また、配達する料理によっては、例えば、鍋焼きうどんや釜飯のように、食器自体が非常に高温になっているものもあり、袋の内側が焦げてしまうという問題もある。
このように、従来からある日本食堂や、中華料理屋（ラーメン屋）の出前や宅配の際の商品の保温については、ピザなどの宅配とは異なり、現状では全くなされていない。
【０００９】
【特許文献１】特開平１１−１５２１６２号
【発明の開示】
【発明が解決しようとする課題】
【００１０】
本発明は、様々な食器に盛られた料理を配達する際に、簡単かつ確実に料理を冷め難くすることを目的とする。
【課題を解決するための手段】
【００１１】
上記の目的は、
柔軟な耐熱シート層と、耐熱シート層に積層された柔軟な保温シート層の少なくとも二層を有し、宅配用の食器を載せた盆を食器ごと包む保温シートであって、
略矩形状の盆載置領域と、盆載置領域の平行な二対の縁辺のうち、一方の一対の縁辺からそれぞれ外方向に延びる巻き掛けフラップ部と、他の一方の一対の縁辺からそれぞれ外方向に延びる係止フラップ部とを有し、
少なくとも係止フラップ部に、盆を包んだときに重なり合う縁辺が離れないようにする係止手段が設けられ、
耐熱シート層が上面になるよう展開され、その耐熱シート層上に載せられた盆を包むことに用いられる上記の保温シートを用いることによって達成される。
【発明の効果】
【００１２】
本発明に係る保温シートを用いると、誰でも簡単かつ確実に、様々な食器に盛られた料理を保温した状態で、配達できるようになる。
【発明を実施するための最良の形態】
【００１３】
以下、図面に基づき、本発明を詳細に説明する。
図１は本発明に係る保温シート第一実施例を展開した状態を示す内側平面図、図２は図１に示した保温シートの外側平面図、図３は図１に示した保温シートにそば盆を載せた状態を示す説明図、図４は図３に示した保温シートで包む方法の第一段階を示す説明図、図５は図４で示した包む方法の第二段階を示す説明図、図６は図５で示した包む方法の完成段階を示す説明図、図７は本発明に係る保温シートの第二実施例の係止手段の状態を示す説明図である。
【００１４】
まず、図１及び図２について説明する。
図中、１は本発明に係る保温シート、１０は耐熱シート層、１１は保温シート層、１２は係止手段である。なお、図中、点線は、縫い跡である。
保温シート１は、柔軟なシートであって、略矩形状の盆載置領域１ａと、その盆載置領域１ａの平行な一対の縁辺のうち、短辺側の一方の一対の縁辺からそれぞれ外方向に延びる巻き掛けフラップ部１ｂと、他の一方の一対の縁辺からそれぞれ外方向に延びる係止フラップ部１ｃとからなる。
【００１５】
この保温シート１は、図２に示したように、内層の耐熱シート層１０と、外層の保温シート層１１の二層構造になっており、両者は、その周縁に沿って互いに接合され、一枚のシート状になっている。
耐熱シート層１０としては、例えば、アイロン台の表面に張られる耐熱生地などが挙げられるが、耐熱性や耐火性があるシートであれば織布でも不織布でも構わない。
保温シート層１１としては、薄手の毛布状の生地のように、繊維の間に空隙を有し、保温性に富んだ柔軟なものであれば、どのようなものでもよく、織布でも不織布でも構わない。
【００１６】
係止フラップ部１ｃのうち、一方の係止フラップ部１ｃには、保温シート層１１の表面に、他の一方の係止フラップ部1ｃには耐熱シート層１１の表面に、互いに係着し得る係止手段１２が設けられ、この係止手段１２は面状ファスナである。
この耐熱シート層１０と、保温シート層１１とは、その周縁に沿って縫い合わせられる。
また、この保温シート１は、耐熱シート層１０と保温シート層１１がずれないよう、その盆載置領域１ａの長辺付近に沿って、縫い合わせられている。
【００１７】
次に、図３ないし図６に基づき、上記の保温シート１の使用方法について説明する。
図中、２はそば盆、３は食器である。
この保温シート１を使用する場合は、図３に示したように、適宜の台上に保温シート１を展開し、その盆載置領域１ａ上にそば盆２を載せる。
次に、そば盆２上に、配達すべき料理が盛られ、必要に応じて食品保護ラップで密封された食器３を載せ、図４に示したように、一方の巻き掛けフラップ部１ｂをそば盆２上に巻き掛け、さらに、図５で示したように、もう一方の巻き掛けフラップ部１ｂをそば盆上で重ね合わせ、さらにその上に、保温シート層１１側に係止手段１２を有する係止フラップ部１ｃを重ね合わせる。
最後に、図６に示したように、そば盆上で重ねられた係止フラップ部１ｃの上に、残りの係止フラップ部１ｃを巻き掛け、係止フラップ１ｃに設けられた係止手段１２同士を重ね合わせて係着させ、係止フラップ１ｃが外れないようにする。
【００１８】
本発明に係る保温シート１を用いる場合、保温シート１で配達すべき食器をそば盆２ごと、そば盆２を動かすことなく素早く包むことができる。
また、保温シート１の内側が、耐熱シート層１０となっているため、食器が鍋焼きうどん等の鍋だったり、釜飯だったりしても、保温シート１が焦げる恐れがない。
また、耐熱シート層１０と保温シート層１１とが、そば盆２上で多段状に積層された状態となるので、保温シート１で極めて優れた保温機能を発揮し得るようになる。
【００１９】
また、耐熱シート層１０は、防風性にも富む場合が多く、このような場合には、保温シート１に包まれたパッケージに風が当たっても、内部の温度が逃げることがなく、極めて良好に保温できる。
また、保温シート１自体が柔軟なので、食器の形状や数に関係なく利用することができる上、様々な規格のそば盆に載せられた料理でも簡単かつ確実に保存できる。
【００２０】
このように、保温シート１に包まれたそば盆を、オートバイの後部に取り付けられた出前機に載せ、その荷台シートで押さえつけると、荷台シートに覆われた部分に、さらに、保温層ができ、保温効果が更に高まり、この状態でオートバイを走らせても、料理から熱が奪われることがなく、効率よく保温できる。
また、配達先で、保温シートからそば盆を取り出す際には、係止フラップ部１ｃの係止を外して、係止フラップ部１ｃ及び巻き掛けフラップ部１ｂを展開するだけでよく、食器を引っ掛ける恐れもない。
また、この保温シート１は、洗濯可能なので衛生的である。
また、この保温シート１を用いれば、オートバイの後部に取り付けられている汎用の出前機を利用して配達することができ、新たな設備投資も必要がない。
【００２１】
なお、本発明は上記の実施例に限定されるものではない。
例えば、上記の実施例では、耐熱シート層と保温シート層は、周縁で接続されているが、全面に渡って貼り合わせても、または、耐熱シート層と保温シート層がずれないよう、適当な領域を貼着、縫い合わせるようにしてもよい。
また、各フラップの形状は、食器が載せられえたそば盆を丸ごと包むことができれば、どのような形状であってもよい。
【００２２】
また、係止手段は、フラップ同士が離れないように係合できれば、どのようなものであってもよく、全てのフラップに係止手段を設けてもよい。
例えば、上記の実施例では、係止手段は、一方のフラップには、フラップの延伸方向に沿って平行に２条設け、他の一方のフラップには、フラップの縁辺に沿って１条設けたが、図７に示したように、両フラップ共に、平行に２条ずつの係止手段１２０を設けるようにしてもよい。
【００２３】
また、汎用のそば盆を利用する場合には、三つ膳から五つ膳までを包むための小サイズと、六つ膳から八つ膳までを包むための大サイズの２サイズがあれば、どのような仕様の配達にも対応できる。
この場合の具体的な寸法としては、例えば、各フラップの一対の縁辺の距離が、小サイズの場合、約１１４×９２ｃｍ、大サイズの場合、約１４１×１１４ｃｍとなるようにすればよいが、寸法は、これに限定されるものではない。
また、そば盆を用いずに、その他の盆やトレーを用いてもよい。
【００２４】
また、上記の実施例では、耐熱シート層と保温シート層は、それぞれ、所要の形状に切り出した１枚のものを使用したが、盆載置領域と各フラップ部の全部又は一部を別パーツで構成し、繋ぎ合わせてもよい。
また、耐熱シート層の一方の面に保温性のある材料を直接定着させ、また、反対に保温シート層の一方の面に耐熱材料を直接定着させて、耐熱シート層及び保温シート層を構成してもよい。
また、この保温シート１で包んだパッケージは、バイクの後部に取り付けられた出前機に載せられる他、自転車に取り付けられた出前機で利用することもでき、また、それ自体を車に載せるようにしてもよく、人手で宅配してもよく、その利用方法は実施例に限定されない。
【産業上の利用可能性】
【００２５】
本発明に係る保温シートは、様々な形状の食器に盛られた料理を配達する際に、料理を簡単かつ確実に保温できるようにするものである。
【図面の簡単な説明】
【００２６】
【図１】本発明に係る保温シートの第一実施例を展開した状態を示す内側平面図である。
【図２】図１に示した保温シートの外側平面図である。
【図３】図１に示した保温シートにそば盆を載せた状態を示す説明図である。
【図４】図３に示した保温シートで包む方法の第一段階を示す説明図である。
【図５】図４で示した包む方法の第二段階を示す説明図である。
【図６】図５で示した包む方法の完成段階を示す説明図である。
【図７】本発明に係る保温シートの第二実施例の係止手段の状態を示す説明図である。
【符号の説明】
【００２７】
１      保温シート
１ａ    盆載置領域
１ｂ    巻き掛けフラップ部
１ｃ    係止フラップ部
１０    耐熱シート層
１１    保温シート層
１２    係止手段
１２０  係止手段
２      そば盆
３      食器
【図１】
2006160329.tif 000003
【図２】
2006160329.tif 000004
【図３】
2006160329.tif 000005
【図４】
2006160329.tif 000006
【図５】
2006160329.tif 000007
【図６】
2006160329.tif 000008
【図７】
2006160329.tif 000009